(57)【要約】【課題】入力端子の各々に何れの種類の入力変換部が接続されているかを確認できるようにすると共に、設備又は装置の電気諸量引出し線を対象の入力端子へ確実に接続できるようにする。【解決手段】ＬＥＤ表示部２を表示制御するＣＰＵ１０を備え、入力端子と入力変換部との接続情報から接続表示情報を作成し、この接続表示情報に基づいてＬＥＤ表示部２を表示制御するものである。この例で、パネル７に表示された入力端子の種類と、当該入力端子の種類に対応する入力変換部の種類とが、矢視方向Ｍ及びＮにおいて交差する位置のＬＥＤ８を点灯制御する。【選択図】    図１
2008129957.tif 000002
【特許請求の範囲】
【請求項１】
複数の入力端子と、前記入力端子の各々に接続され、所定の設備又は装置から当該入力端子を介して入力される電気諸量を電気信号に変換する複数の入力変換部とを備えたマルチトランスデューサにおいて、
表示手段と、
前記入力変換部がどの入力端子に接続されているかを示す接続情報に基づいて接続表示情報を作成し、前記接続表示情報に基づいて前記表示手段を表示制御する制御部と
を備えることを特徴とするマルチトランスデューサ。
【請求項２】
前記接続情報を記憶する記憶部を備え、
前記記憶部には、
外部端末から前記接続情報が書き込まれることを特徴とする請求項１に記載のマルチトランスデューサ。
【請求項３】
前記入力変換部は、
当該入力変換部の種類を特定するための識別情報を記憶する識別情報記憶部を備え、
前記制御部は、
前記識別情報記憶部に記憶された前記識別情報を読み出し、当該識別情報と当該識別情報を読み出す位置から前記接続表示情報を作成し、当該接続表示情報に基づいて前記表示手段を表示制御することを特徴とする請求項１に記載のマルチトランスデューサ。
【請求項４】
前記制御部は、
前記入力変換部により変換された前記電気信号に基づいて所定の計測値を算出し、
前記計測値の種類と当該計測値の出力項目との関連情報から関連表示情報を作成し、前記関連表示情報に基づいて前記表示手段を表示制御することを特徴とする請求項１に記載のマルチトランスデューサ。
【請求項５】
前記表示手段は、
前記入力端子の種類が第１の方向に表示され、当該第１の方向と直交する第２の方向に前記入力変換部の種類が表示されたパネルと、
前記パネルの第１及び第２の方向を基準として格子状に配置された複数の発光体とを備え、
前記制御部は、
前記接続表示情報に基づいて、前記発光体を点灯制御することを特徴とする請求項１に記載のマルチトランスデューサ。
【請求項６】
前記表示手段は、
前記入力端子の種類を表示する端子種類用の表示部と、
前記入力変換部の種類を表示する変換種類用の表示部と、
前記端子種類用の表示部の表示を切り替えるために操作される操作部とを備え、
前記制御部は、
前記操作部から出力された操作情報、及び前記接続表示情報に基づいて前記変換種類用の表示部を表示制御することを特徴とする請求項１に記載のマルチトランスデューサ。
【請求項７】
複数の入力端子と、前記入力端子の各々に接続され所定の設備又は装置から当該入力端子を介して入力される電気諸量を電気信号に変換する複数の入力変換部と、表示手段とを備えたマルチトランスデューサにおける表示制御方法であって、
前記入力変換部がどの入力端子に接続されているかを示す接続情報に基づいて接続表示情報を作成するステップと、
作成された前記接続表示情報に基づいて前記表示手段を表示制御するステップと
を有することを特徴とするマルチトランスデューサの表示制御方法。
【請求項８】
前記入力変換部により変換された前記電気信号に基づいて所定の計測値を算出するステップと、
算出された前記計測値の種類と当該計測値の出力項目との関連情報から関連表示情報を作成するステップと、
作成された前記関連表示情報に基づいて前記表示手段を表示制御するステップと
を有することを特徴とする請求項７に記載のマルチトランスデューサの表示制御方法。
【発明の詳細な説明】
【技術分野】
【０００１】
本発明は、各種電力設備または装置からの電気諸量を電気信号に変換する入力変換部を備えたマルチトランスデューサ及びその表示制御方法に関するものである。
【０００２】
詳しくは、入力変換部がどの入力端子に接続されているかを表示する表示手段を表示制御する制御部を備え、当該入力変換部がどの入力端子に接続されているかを示す接続情報から接続表示情報を作成し、この接続表示情報に基づいて表示制御をして、表示手段に当該入力変換部に対応して接続されている入力端子の内容を表示できるようにすると共に、入力端子の各々に何れの種類の入力変換部が接続されているかを確認できるようにしたものである。
【背景技術】
【０００３】
従来から、交流電圧・電流を入力して所定の計測値を演算し、当該計測値を上位装置に伝送するマルチトランスデューサが使用される場合が多い。例えば、電力用のマルチトランスデューサは、電力系統などの設備又は装置に設置され、設備などからの交流電圧・電流を入力して電力（有効電力、無効電力）などを演算し、当該電力演算値などを遠隔監視装置に伝送する。
【０００４】
このようなマルチトランスデューサの入力端子に設備又は装置の引出し線を接続する際には、マルチトランスデューサの筐体に貼付けされた説明書や付属のマニュアル等を参照して入力端子の各々と入力変換部との接続関係が確認される場合が多い。確認後、設備等から入力される電気諸量が電圧の場合には、電圧用の入力端子に設備等の電源供給線（電圧引出し線）が接続される。また、設備等から入力される電気諸量が電流の場合には、電流用の入力端子に設備等の電源−負荷間の供給線（電流引出し線）が接続される。
【０００５】
このような従来例に関連して、特許文献１には配電系統の諸電気量を計測して上位装置へ伝送する伝送端末装置（マルチトランスデューサ）が開示されている。この伝送端末装置は、各々１組の被監視電路からの電流信号を取込む複数の電流入力部や、被監視電路からの電圧信号を取込む電圧入力部などを備えるものである。この伝送端末装置によれば、分岐電路全ての電流値等を複数の電流入力部に取り込み、各電流値等の定格に合わせた諸電気量を演算し、その演算結果を上位装置に伝送するようになされる。これにより、１つの分岐電路に異なる定格のトランスデューサを設置する必要がなくなるというものである。
【０００６】
【特許文献１】特開２００２−１９９４６６号公報（第３頁、第１図）
【発明の開示】
【発明が解決しようとする課題】
【０００７】
ところで、従来例に係る特許文献１に記載の伝送端末装置によれば、既存の電圧入力部の個数を超える数の電圧信号を取込む要求があった場合、電流入力部を電圧入力部に部品交換して電圧入力部を増設することが考えられる。しかしながら、電圧入力部が増設された場合、上述したように筐体に貼付けられた説明書などを参照しても、増設された電圧入力部がどの入力端子に接続されているのかを判断することが難しい。このため、電圧信号が出力される被監視電路を、増設後の電圧入力部の入力端子に接続するところ、間違って既存の電流入力部の入力端子に接続するおそれがある。
【０００８】
そこで、本発明はこのような従来例に係る課題を解決したものであって、入力端子の各々に何れの種類の入力変換部（電流入力部又は電圧入力部など）が接続されているかを確実に確認できるようにすると共に、用途に合わせて入力変換部が部品交換された場合であっても、設備又は装置の電気諸量引出し線を対象の入力端子へ確実に接続できるようにしたマルチトランスデューサ及びその表示制御方法を提供することを目的とする。
【課題を解決するための手段】
【０００９】
上述した課題を解決するために、本発明に係る請求項１に記載のマルチトランスデューサは、複数の入力端子と、前記入力端子の各々に接続され、所定の設備又は装置から当該入力端子を介して入力される電気諸量を電気信号に変換する複数の入力変換部とを備えたマルチトランスデューサにおいて、表示手段と、前記入力変換部がどの入力端子に接続されているかを示す接続情報に基づいて接続表示情報を作成し、前記接続表示情報に基づいて前記表示手段を表示制御する制御部とを備えることを特徴とするものである。
【００１０】
本発明に係るマルチトランスデューサによれば、制御部は、入力変換部がどの入力端子に接続されているかを示す接続情報に基づいて接続表示情報を作成し、接続表示情報に基づいて表示手段を表示制御する。例えば、表示手段は、入力端子の種類が第１の方向に表示され、当該第１の方向と直交する第２の方向に入力変換部の種類が表示されたパネルと、パネルの第１及び第２の方向を基準として格子状に配置された複数の発光体とを備え、制御部は、作成した接続表示情報に基づいて発光体を点灯制御する。これにより、入力端子と入力変換部との接続内容を表示部に点灯表示できるようになる。従って、入力端子の各々に何れの種類の入力変換部が接続されているかを確実に確認できるようになる。
【００１１】
上述した課題を解決するために、本発明に係る請求項７に記載のマルチトランスデューサの表示制御方法は、複数の入力端子と、前記入力端子の各々に接続され所定の設備又は装置から当該入力端子を介して入力される電気諸量を電気信号に変換する複数の入力変換部と、表示手段とを備えたマルチトランスデューサにおける表示制御方法であって、前記入力端子と前記入力変換部とを接続する情報である接続情報から接続表示情報を作成するステップと、作成された前記接続表示情報に基づいて前記表示手段を表示制御するステップとを有することを特徴とするものである。本発明に係るマルチトランスデューサの表示制御方法によれば、入力端子と入力変換部との接続内容を表示部に点灯表示できるようになる。
【発明の効果】
【００１２】
本発明に係るマルチトランスデューサ及びその表示制御方法によれば、入力変換部がどの入力端子に接続されているかを表示する表示手段を表示制御する制御部を備え、当該入力変換部がどの入力端子に接続されているかを示す接続情報から接続表示情報を作成し、この接続表示情報に基づいて表示制御するものである。
【００１３】
この構成によって、入力端子と入力変換部との接続内容を表示手段に表示できるようになる。従って、入力端子の各々に何れの種類の入力変換部が接続されているかを確実に確認できるようになる。これにより、所定の設備又は装置を当該マルチトランスデューサに接続する際に、用途に合わせて入力変換部が部品交換された場合であっても、設備又は装置の電気諸量引出し線を対象の入力端子へ容易かつ正確に接続できるようになる。
【発明を実施するための最良の形態】
【００１４】
続いて、本発明に係るマルチトランスデューサについて、図面を参照しながら説明をする。
【実施例１】
【００１５】
図１は、第１の実施例に係るマルチトランスデューサ１００の構成例を示す斜視図である。図１に示すマルチトランスデューサ１００は、ＬＥＤ表示部１、入力端子群４、入出力端子群５、背面部材６、ＣＰＵ（Central Processing Unit）１０及び入力変換部２０ａを備える。入力変換部２０ａは、マルチトランスデューサ１００の筐体の内部に配置され、入力端子群４における入力端子４ａ及び４ｂに接続され、電力系統の設備又は装置から当該入力端子４ａ及び４ｂを介して入力される電気諸量を電気信号に変換する。
【００１６】
入力端子群４及び入出力端子群５は筐体の背面部材６に配置される。入力端子群４は入力端子４ａ〜４ｑから構成される。入出力端子群５は入出力端子５ａ〜５ｇから構成される。コネクタ７０には、シリアルケーブル５１を介して遠隔操作用の端末５０が接続され、入出力端子５ａ〜５ｄには、シリアルケーブル５２を介して遠隔監視装置５３が接続される。ユーザは遠隔操作用の端末５０を使用して、入力変換部２０ａ等が入力端子４ａ〜４ｐのうち、どの入力端子に接続されているかを示す接続情報、及び計測値の種類と当該計測値の出力項目との関連情報をマルチトランスデューサ１００に設定する。この計測値は、入力変換部２０ａ等により変換された電気信号に基づいてＣＰＵ１０により算出されたものである。また、ユーザは、遠隔監視装置５３を使用して、ＣＰＵ１０により算出された計測値を確認する。
【００１７】
ＬＥＤ表示部１は表示手段の一例として機能し、パネル７を有する。このパネル７はマルチトランスデューサ１００の筐体の背面部材６に設けられる。このパネル７には、入力変換部用のＬＥＤ表示部２及び計測値用のＬＥＤ表示部３が設けられる。このＬＥＤ表示部２の近傍のパネル７には、入力端子４ａ〜４ｐの種類が第１の矢視方向Ｍに表示され、当該第１の矢視方向Ｍと直交する第２の矢視方向Ｎに入力変換部の種類が表示される。ＬＥＤ表示部２は、複数の発光体の一例を構成するＬＥＤ（Light Emitting Diode）８を備える。このＬＥＤ８は、矢視方向Ｍ及びＮを基準として格子（マトリックス）状にＬＥＤ表示部２の近傍のパネル７に配置される。この例で、ＬＥＤ８は矢視方向Ｍに８行配置され、矢視方向Ｎに７列配置されて合計５６個配置されている。
【００１８】
ＣＰＵ１０は制御部の一例として機能し、ＬＥＤ表示部２に接続され、入力端子４ａ〜４ｐと入力変換部２０ａ等との接続情報から接続表示情報を作成し、この接続表示情報に基づいてＬＥＤ表示部２を表示制御する。ＬＥＤ表示部２は、このＣＰＵ１０からの表示制御の情報に基づいて、入力端子４ａ〜４ｐと入力変換部２０ａ等との接続内容を表示する。
【００１９】
この例で、ＣＰＵ１０は入力端子４ａ〜４ｐと入力変換部２０ａ等との接続表示情報に基づいて、ＬＥＤ表示部２のＬＥＤ８の点灯を制御する。例えば、ＣＰＵ１０は格子状に配置されたＬＥＤ８のうち、パネル７に表示された入力端子の種類と、当該入力端子の種類に対応する入力変換部の種類とが、矢視方向Ｍ及びＮにおいて交差する位置のＬＥＤ８を点灯するように制御する。これにより、ユーザは、入力端子群４における入力端子４ａ〜４ｐの各々に何れの種類の入力変換部が接続されているかを確認できるようになる。
【００２０】
ＬＥＤ表示部３の近傍のパネル７には、出力項目が矢視方向Ｍに表示され、矢視方向Ｎに計測値の種類が表示される。ＬＥＤ表示部３はＬＥＤ９を備え、このＬＥＤ９は、矢視方向Ｍ及びＮを基準として格子状にＬＥＤ表示部３の近傍のパネル７に配置される。この例で、ＬＥＤ９は矢視方向Ｍに９行配置され、矢視方向Ｎに１０列配置されて合計９０個配置されている。
【００２１】
ＣＰＵ１０はＬＥＤ表示部３に接続され、計測値の種類と当該計測値の出力項目との関連情報から関連表示情報を作成し、関連表示情報に基づいてＬＥＤ表示部３を表示制御する。ＬＥＤ表示部３は、このＣＰＵ１０からの表示制御の情報に基づいて、計測値の種類と当該計測値の出力項目との関連内容を表示する。計測値の種類には、電圧、電流、有効電力、無効電力、有効電力量、無効電力量、周波数、位相角、零相電圧、レベルなどが存在する。計測値の出力項目には、出力１〜出力９が存在する。
【００２２】
この例で、ＣＰＵ１０は関連表示情報に基づいて、ＬＥＤ表示部３のＬＥＤ９の点灯を制御する。例えば、ＣＰＵ１０は格子状に配置されたＬＥＤ９のうち、パネル７に表示された出力項目と、当該出力項目に対応する計測値の種類とが、矢視方向Ｍ及びＮにおいて交差する位置のＬＥＤ９を点灯するように制御する。これにより、ユーザは、マルチトランスデューサ１００の計測値の種類をこのマルチトランスデューサ１００の外観から確認できるようになる。
【００２３】
図２は、マルチトランスデューサ１００の構成例を示す背面図である。図２に示すマルチトランスデューサ１００の筐体の背面部材６に配置された１６個の入力端子４ａ〜４ｐは、入力端子ＣＨ１〜入力端子ＣＨ８に区分される。入力端子４ａ及び４ｂは入力端子ＣＨ１に区分され、入力端子４ｃ及び４ｄは入力端子ＣＨ２に区分され、入力端子４ｅ及び４ｆは入力端子ＣＨ３に区分され、入力端子４ｇ及び４ｈは入力端子ＣＨ４に区分され、入力端子４ｉ及び４ｊは入力端子ＣＨ５に区分され、入力端子４ｋ及び４ｌは入力端子ＣＨ６に区分され、入力端子４ｍ及び４ｎは入力端子ＣＨ７に区分され、入力端子４ｏ及び４ｐは入力端子ＣＨ８に区分される。
【００２４】
入力端子ＣＨ１〜ＣＨ３の各々には、電圧用の入力変換部の各々が接続される。入力端子ＣＨ４及びＣＨ５には、電流用の入力変換部の各々が接続される。入力端子ＣＨ６には、ＤＣ４−２０ｍＡ用の入力変換部が接続される。入力端子ＣＨ７には、ＤＣ０−５Ｖ用の入力変換部が接続される。入力端子ＣＨ８には、入力変換部が接続されていない。
【００２５】
また、背面部材６に配置された入出力端子５ａ〜５ｄは、ＲＳ（Recommended Standard）４８５用の端子に対応する。ＲＳ４８５用の端子は、「ＲＤ＋」、「ＲＤ−」、「ＴＸ＋」及び「ＴＸ−」の端子を有している。入出力端子５ａは「ＲＤ＋」の端子に対応し、入出力端子５ｂは「ＲＤ−」の端子に対応し、入出力端子５ｃは「ＴＸ＋」の端子に対応し、入出力端子５ｄは「ＴＸ−」の端子に対応している。コネクタ７０はシリアルケーブル５１を介して遠隔操作用の端末５０が接続されている。「ＲＤ＋」、「ＲＤ−」、「ＴＸ＋」及び「ＴＸ−」の端子にはシリアルケーブル５２を介して遠隔監視装置５３が接続されている。このように、マルチトランスデューサ１００の背面部材６に端子が配置され、配置された端子に入力変換部や装置などが接続されている。
【００２６】
図３は、ＬＥＤ表示部１の構成例を示す説明図である。図３に示すＬＥＤ表示部１のパネル７に設けられたＬＥＤ表示部２の上端には、見出しである「入力変換部の種類」Ｐ１が記載されている。この見出しの下の矢視方向Ｎに記載された入力変換部の種類は、「電圧」、「電流」、「ＤＣ４−２０ｍＡ」、「ＤＣ０−１ｍＡ」、「ＤＣ０−５Ｖ」、「ＺＰＴ３次（１１０Ｖ）」及び「ＺＰＴ３次（１９０Ｖ）」である。また、この見出しの下の矢視方向Ｍに記載された入力端子の種類は、「ＣＨ１」〜「ＣＨ８」である。
【００２７】
矢視方向Ｍ及びＮに記載されたこれらの見出しを基準として格子状にパネル７に配置されたＬＥＤ８のうち、例えば、入力端子「ＣＨ１」と、この入力端子「ＣＨ１」に対応する入力変換部の種類「電圧」とが矢視方向Ｍ及びＮにおいて交差する位置のＬＥＤ８ａが点灯されている。他のＬＥＤ８に関しても同様にして、入力端子「ＣＨ２」〜「ＣＨ８」に対応する入力変換部の種類が矢視方向Ｍ及びＮにおいて交差する位置のＬＥＤ８が点灯されている。ただし、入力変換部が接続されていない入力端子に係るＬＥＤ８は点灯されない。
【００２８】
この例では、上述した入力端子「ＣＨ１」の他に、入力端子「ＣＨ２」と入力変換部の種類「電圧」とが交差する位置のＬＥＤ８ｂが点灯され、入力端子「ＣＨ３」と入力変換部の種類「電圧」とが交差する位置のＬＥＤ８ｃが点灯され、入力端子「ＣＨ４」と入力変換部の種類「電流」とが交差する位置のＬＥＤ８ｄが点灯され、入力端子「ＣＨ５」と入力変換部の種類「電流」とが交差する位置のＬＥＤ８ｅが点灯され、入力端子「ＣＨ６」と入力変換部の種類「ＤＣ４−２０ｍＡ」とが交差する位置のＬＥＤ８ｆが点灯され、入力端子「ＣＨ７」と入力変換部の種類「ＤＣ０−５Ｖ」とが交差する位置のＬＥＤ８ｇが点灯されている。入力端子「ＣＨ８」に係るＬＥＤ８は点灯されていない。これにより、ユーザは、入力端子「ＣＨ１」〜「ＣＨ７」の各々に何れの種類の入力変換部が接続されているかを確認できるようになる。
【００２９】
図３に示すＬＥＤ表示部１のパネル７に設けられたＬＥＤ表示部３の上部には、見出しである「計測値の種類」Ｐ２が記載されている。この見出しの下の矢視方向Ｎに記載された計測値の種類は、「電圧」、「電流」、「有効電力」、「無効電力」、「有効電力量」、「無効電力量」、「周波数」、「位相角」、「零相電圧」及び「レベル」である。この見出しの下の矢視方向Ｍに記載された出力項目は、「出力１」〜「出力９」である。
【００３０】
矢視方向Ｍ及びＮに記載されたこれらの見出しを基準として格子状にパネル７に配置されたＬＥＤ９のうち、例えば、出力項目「出力１」と、この「出力１」に対応する計測値の種類「電圧」とが矢視方向Ｍ及びＮにおいて交差する位置のＬＥＤ９ａが点灯されている。他のＬＥＤ９に関しても同様にして、出力項目「出力２」〜「出力９」に対応する計測値の種類が矢視方向Ｍ及びＮにおいて交差する位置のＬＥＤ９が点灯されている。ただし、計測値が出力されていない出力項目に係るＬＥＤ９は点灯されない。
【００３１】
この例では、上述した出力項目「出力１」の他に、出力項目「出力２」と計測値の種類「電流」とが交差する位置のＬＥＤ９ｂが点灯され、出力項目「出力３」と計測値の種類「有効電力」とが交差する位置のＬＥＤ９ｃが点灯され、出力項目「出力４」と計測値の種類「無効電力」とが交差する位置のＬＥＤ９ｄが点灯され、出力項目「出力５」と計測値の種類「有効電力量」とが交差する位置のＬＥＤ９ｅが点灯され、出力項目「出力６」と計測値の種類「無効電力量」とが交差する位置のＬＥＤ９ｆが点灯され、出力項目「出力７」と計測値の種類「レベル」とが交差する位置のＬＥＤ９ｇが点灯され、出力項目「出力８」と計測値の種類「レベル」とが交差する位置のＬＥＤ９ｈが点灯されている。出力項目「出力９」に係るＬＥＤ９は点灯されていない。これにより、ユーザは、マルチトランスデューサ１００の出力項目「出力１」〜「出力９」の各々にいかなる種類の計測値が出力されているかを、このマルチトランスデューサ１００の外観から確認できるようになる。
【００３２】
図４Ａ及びＢは、マルチトランスデューサ１００の機能例を示す工程図である。図４Ａに示すＬＥＤ表示部２及び３の全てのＬＥＤ８及び９は消灯されている状態である。これは、マルチトランスデューサ１００の電源がＯＦＦされているためである。
【００３３】
図４Ｂに示すＬＥＤ表示部２のＬＥＤ８ａは、電源がＯＮされて接続情報から作成された接続表示情報に基づいてＬＥＤ表示部２が点灯制御されたものである。例えば、この接続情報は、入力端子ＣＨ１に電圧用の入力変換部が接続されているという情報であり、接続表示情報は、ＬＥＤ表示部２の入力端子「ＣＨ１」と入力変換部の種類「電圧」とが交差する位置のＬＥＤ８ａを点灯するという情報である。入力端子「ＣＨ２」〜「ＣＨ８」に関しても同様に点灯制御される。これにより、ユーザは、入力端子「ＣＨ１」〜「ＣＨ８」の各々に何れの種類の入力変換部が接続されているかを確認できるようになる。
【００３４】
図４Ｂに示すＬＥＤ表示部３のＬＥＤ９ａは、関連情報から作成された関連表示情報に基づいて点灯制御されたものである。例えば、この関連情報は、出力項目「出力１」に計測値「電圧」が出力されているという情報であり、関連表示情報は、ＬＥＤ表示部３の出力項目「出力１」と計測値の種類「電圧」とが交差する位置のＬＥＤ９ａを点灯するという情報である。出力項目「出力２」〜「出力９」に関しても同様に制御される。これにより、ユーザは、マルチトランスデューサ１００の出力項目「出力１」〜「出力９」にいかなる種類の計測値が出力されているかを、このマルチトランスデューサ１００の外観から確認できるようになる。
【００３５】
図５は、マルチトランスデューサ１００の処理部３０の構成例を示すブロック図である。図５に示すマルチトランスデューサ１００は、入力変換部２０ａ〜２０ｇ、出力端子２１ａ〜２１ｈ、出力端子２３ａ〜２３ｈ、入力端子２４ａ〜２４ｈ、入力端子２６ａ〜２６ｈ及び処理部３０を備える。例えば、入力変換部２０ａは電圧用の入力変換部であり、入力端子ＣＨ１及び出力端子２１ａ、２３ａに接続されている。入力変換部２０ａは、入力端子ＣＨ１を介して電圧信号を入力し、この電圧信号を所定の電圧レベルの電圧信号に変換して出力端子２１ａから出力する。出力端子２１ａは入力端子２４ａに接続され、この入力端子２４ａは処理部３０に接続されている。
【００３６】
また、入力変換部２０ａは、当該入力変換部２０ａの識別情報を出力端子２３ａから出力する。この識別情報は、例えば入力変換部２０ａが取り込む信号の種類の情報などである。出力端子２３ａは入力端子２６ａに接続され、この入力端子２６ａは処理部３０に接続されている。なお、入力変換部２０ｂ〜２０ｇに関しては、入力変換部２０ａと同様の構成を成しているため説明を省略する。
【００３７】
処理部３０は、ＣＰＵ１０、選択部３１、Ａ／Ｄ（analog to digital）変換部３３、ＥＥＰＲＯＭ（Electrically Erasable Programmable Read-Only Memory）３４及び送受信部３６を備える。選択部３１は、入力端子２４ａ〜２４ｈに接続され、入力変換部２０ａ〜２０ｇにより変換された電圧信号を入力する。選択部３１は、入力した複数の電気信号の中から所定の入力変換部に係る電圧信号を選択してＡ／Ｄ変換部３３へ出力する。Ａ／Ｄ変換部３３は選択部３１に接続され、選択部３１により選択された電圧信号をデジタルデータに変換してＣＰＵ１０へ出力する。
【００３８】
ＣＰＵ１０はＡ／Ｄ変換部３３に接続され、Ａ／Ｄ変換部３３によりＡ／Ｄ変換されたデジタルデータを用いて計測値を求める。この例で、ＣＰＵ１０は、いかなる入力変換部からの出力電圧信号を用いて、いかなる処理を行って、いかなる計測値を得るかという演算情報に基づいて演算処理を行う。例えば、図３に示したように、ＣＰＵ１０は「電圧」、「電流」、「有効電力」、「無効電力」、「有効電力量」、「無効電力量」及び「レベル」の計測値を演算する。
【００３９】
ＥＥＰＲＯＭ３４はＣＰＵ１０に接続される。このＥＥＰＲＯＭ３４には、上述の演算情報、入力端子ＣＨ１〜ＣＨ８と入力変換部２０ａ〜２０ｇとの接続情報、計測値の種類と当該計測値の出力項目との関連情報などが記憶される。
【００４０】
送受信部３６はＣＰＵ１０、遠隔操作用の端末５０及び遠隔監視装置５３に接続され、ＣＰＵ１０により演算された計測値をシリアルケーブル５２を介して遠隔監視装置５３に送信する。遠隔監視装置５３は、送信された計測値を受信して画面などに表示する。
【００４１】
また、送受信部３６は、遠隔操作用の端末５０からシリアルケーブル５１を介して送信された接続情報及び関連情報を受信してＣＰＵ１０に出力する。ＣＰＵ１０は、出力された接続情報及び関連情報をＥＥＰＲＯＭ３４に保存する。
【００４２】
この接続情報には、入力端子ＣＨ１に電圧用の入力変換部２０ａが接続され、入力端子ＣＨ２に電圧用の入力変換部２０ｂが接続され、入力端子ＣＨ３に電圧用の入力変換部２０ｃが接続され、入力端子ＣＨ４に電流用の入力変換部２０ｄが接続され、入力端子ＣＨ５に電流用の入力変換部２０ｅが接続され、入力端子ＣＨ６にＤＣ４−２０ｍＡ用の入力変換部２０ｆが接続され、入力端子ＣＨ７にＤＣ０−５Ｖ用の入力変換部２０ｇが接続されているという情報が含まれている。
【００４３】
関連情報には、出力項目「出力１」として電圧が出力され、出力項目「出力２」として電流が出力され、出力項目「出力３」として有効電力が出力され、出力項目「出力４」として無効電力が出力され、出力項目「出力５」として有効電力量が出力され、出力項目「出力６」として無効電力量が出力され、出力項目「出力７」及び「出力８」としてレベルが出力されるという情報含まれている。
【００４４】
ＣＰＵ１０は接続情報から作成した接続表示情報に基づいてＬＥＤ表示部２を制御する。例えば、ＣＰＵ１０は入力端子ＣＨ１に電圧用の入力変換部２０ａが接続されているという接続情報から、図３に示したＬＥＤ表示部２の入力端子「ＣＨ１」と入力変換部の種類「電圧」とが交差する位置のＬＥＤ８ａを点灯するように制御するための接続表示情報を作成する。作成後、ＣＰＵ１０はこの接続表示情報に基づいてＬＥＤ表示部２のＬＥＤ８ａを点灯制御する。
【００４５】
ＬＥＤ表示部２はＣＰＵ１０に接続され、ＣＰＵ１０からの点灯制御の情報に基づいてＬＥＤ８ａを点灯して表示する。入力端子「ＣＨ２」〜「ＣＨ８」に関しても同様に作成された接続表示情報に基づいてＬＥＤ表示部２が点灯制御される。ＬＥＤ表示部２は、ＣＰＵ１０からの点灯制御の情報に基づいて各ＬＥＤ８を点灯して表示する。これにより、ユーザは、入力端子「ＣＨ１」〜「ＣＨ８」の各々に何れの種類の入力変換部が接続されているかをＬＥＤ表示部２を見て確認できるようになる。
【００４６】
また、ＣＰＵ１０は、関連情報から作成した関連表示情報に基づいてＬＥＤ表示部３を制御する。例えば、ＣＰＵ１０は、出力項目「出力１」に計測値「電圧」が出力されるという関連情報から、図３に示したＬＥＤ表示部３の出力項目「出力１」と計測値の種類「電圧」とが交差する位置のＬＥＤ９ａを点灯するように制御するための関連表示情報を作成する。作成後、ＣＰＵ１０はこの関連表示情報に基づいてＬＥＤ表示部３のＬＥＤ９ａを点灯制御する。
【００４７】
ＬＥＤ表示部３はＣＰＵ１０に接続され、ＣＰＵ１０からの点灯制御の情報に基づいてＬＥＤ９ａを点灯して表示する。出力項目「出力２」〜「出力９」に関しても同様に作成した関連表示情報に基づいてＬＥＤ表示部３が点灯制御される。これにより、ユーザは、マルチトランスデューサ１００の出力項目「出力１」〜「出力９」にいかなる種類の計測値が出力されているかを、このマルチトランスデューサ１００の外観から確認できるようになる。
【００４８】
続いて、上述した接続表示情報や関連表示情報に基づいてＬＥＤを点灯する処理例を示す。図６は、ＣＰＵ１０の動作例を示すフローチャートである。マルチトランスデューサ１００のＥＥＰＲＯＭ３４には、接続情報や関連情報が保存されている。
【００４９】
これをＬＥＤ点灯処理の条件として、図６に示すステップＳ１で、ＣＰＵ１０は電源がＯＮされたかを判定する。電源がＯＮされていない場合、電源がＯＮされるまで待機する。電源がＯＮされた場合ステップＳ２へ移行する。ステップＳ２で、ＣＰＵ１０は接続情報がＥＥＰＲＯＭ３４に保存されているか否かを判定する。接続情報がＥＥＰＲＯＭ３４に保存されていない場合ステップＳ５へ移行して関連情報の有無を判定する。接続情報がＥＥＰＲＯＭ３４に保存されている場合ステップＳ３へ移行する。
【００５０】
ステップＳ３で、ＣＰＵ１０は接続情報から接続表示情報を作成する。例えば、ＣＰＵ１０は、入力端子ＣＨ１〜ＣＨ３の各々に電圧用の入力変換部２０ａ〜２０ｃが接続されているという接続情報から図３に示したＬＥＤ表示部２の入力端子「ＣＨ１」〜「ＣＨ３」と入力変換部の種類「電圧」とが交差する位置のＬＥＤ８ａ〜８ｃを点灯制御するための接続表示情報を作成する。また、入力端子ＣＨ４及びＣＨ５の各々に電流用の入力変換部２０ｄ及び２０ｅが接続されているという接続情報からＬＥＤ８ｄ及び８ｅを点灯制御するための接続表示情報を作成する。また、入力端子ＣＨ６にＤＣ４−２０ｍＡ用の入力変換部２０ｆが接続されているという接続情報からＬＥＤ８ｆを点灯制御するための接続表示情報を作成する。また、入力端子ＣＨ７にＤＣ０−５Ｖ用の入力変換部２０ｇが接続されているという接続情報からＬＥＤ８ｇを点灯制御するための接続表示情報を作成してステップＳ４へ移行する。
【００５１】
ステップＳ４で、ＣＰＵ１０は接続表示情報に基づいてＬＥＤ８を点灯制御する。例えば、図３に示したＬＥＤ表示部２の入力端子「ＣＨ１」と入力変換部の種類「電圧」とが交差する位置のＬＥＤ８ａを点灯制御する。ステップＳ３で作成した接続表示情報に基づいて、ＬＥＤ８ｂ〜８ｇについても点灯制御してステップＳ５へ移行する。これにより、ＬＥＤ表示部２は、ＬＥＤ８ａ〜８ｇを点灯して入力端子「ＣＨ１」〜「ＣＨ７」と入力変換部の各々との接続内容を表示できるようになる。
【００５２】
ステップＳ５で、ＣＰＵ１０は関連情報がＥＥＰＲＯＭ３４に保存されているか否かを判定する。関連情報がＥＥＰＲＯＭ３４に保存されていない場合ステップＳ８へ移行して電源ＯＦＦされたかを判定する。関連情報がＥＥＰＲＯＭ３４に保存されている場合ステップＳ６へ移行する。
【００５３】
ステップＳ６で、ＣＰＵ１０は関連情報から関連表示情報を作成する。例えば、ＣＰＵ１０は出力項目「出力１」として電圧が出力されているという関連情報から、図３に示したＬＥＤ表示部３の出力項目「出力１」と計測値の種類「電圧」とが交差する位置のＬＥＤ９ａを点灯制御するための関連表示情報を作成する。また、出力項目「出力２」として電流が出力されているという関連情報からＬＥＤ９ｂを点灯制御するための関連表示情報を作成し、出力項目「出力３」として有効電力が出力されているという関連情報からＬＥＤ９ｃを点灯制御するための関連表示情報を作成し、出力項目「出力４」として無効電力が出力されているという関連情報からＬＥＤ９ｄを点灯制御するための関連表示情報を作成し、出力項目「出力５」として有効電力量が出力されているという関連情報からＬＥＤ９ｅを点灯制御するための関連表示情報を作成し、出力項目「出力６」として無効電力量が出力されているという関連情報からＬＥＤ９ｆを点灯制御するための関連表示情報を作成し、出力項目「出力７」及び「出力８」としてレベルが出力されているという関連情報からＬＥＤ９ｇ及び９ｈを点灯制御するための関連表示情報を作成してステップＳ７へ移行する。
【００５４】
ステップＳ７で、ＣＰＵ１０は関連表示情報に基づいてＬＥＤ９を点灯制御する。例えば、図３に示したＬＥＤ表示部３の出力項目「出力１」と計測値の種類「電圧」とが交差する位置のＬＥＤ９ａを点灯制御する。また、ステップＳ６で作成した関連表示情報に基づいて、ＬＥＤ９ｂ〜９ｈについても点灯制御してステップＳ８へ移行する。これにより、ＬＥＤ表示部３は、ＬＥＤ９ａ〜９ｈを点灯して出力項目「出力１」〜「出力８」と計測値の種類の各々との関連内容を表示できるようになる。
【００５５】
ステップＳ８で、ＣＰＵ１０は電源がＯＦＦされたかを判定する。ＣＰＵ１０は電源がＯＦＦされていないと判定した場合、ＬＥＤ８及び９を点灯した状態を維持する。ＣＰＵ１０は電源がＯＦＦされたと判定した場合、ステップＳ９へ移行する。ステップＳ９で、ＣＰＵ１０はＬＥＤ８及び９を消灯してＬＥＤ点灯処理を終了する。
【００５６】
なお、ステップＳ８の電源ＯＦＦ判定処理の前に、ＬＥＤ８及び９の点灯又は消灯の切り替え判定処理のステップを設けることも考えられる。このステップでＣＰＵ１０は、消灯信号を入力した場合にＬＥＤ８及び９を消灯し、点灯信号を入力した場合にＬＥＤ８及び９を点灯する。これにより、電源の消費量を抑えることができる。
【００５７】
このように、第１の実施例に係るマルチトランスデューサ１００によれば、ＬＥＤ表示部２を表示制御するＣＰＵ１０を備え、入力端子「ＣＨ１」〜「ＣＨ８」と入力変換部との接続情報から接続表示情報を作成し、この接続表示情報に基づいてＬＥＤ表示部２を表示制御するものである。この例で、パネル７に表示された入力端子の種類と、当該入力端子の種類に対応する入力変換部の種類とが、矢視方向Ｍ及びＮにおいて交差する位置のＬＥＤ８を点灯制御する。
【００５８】
従って、入力端子「ＣＨ１」〜「ＣＨ８」と入力変換部との接続内容をＬＥＤ表示部２に表示できるようになる。これにより、ユーザは、入力端子の各々に何れの種類の入力変換部が接続されているかを確実に確認できるようになる。従って、ユーザは、電力系統の設備又は装置をマルチトランスデューサ１００に接続する際に、用途に合わせて入力変換部が部品交換された場合であっても、設備又は装置の電気諸量引出し線を対象の入力端子へ容易かつ正確に接続できるようになる。
【００５９】
また、ＣＰＵ１０は、計測値の種類と出力項目「出力１」〜「出力９」との関連情報から関連表示情報を作成し、この関連表示情報に基づいてＬＥＤ表示部３を表示制御する。この例で、パネル７に表示された出力項目と、当該出力項目に対応する計測値の種類とが、矢視方向Ｍ及びＮにおいて交差する位置のＬＥＤ９を点灯制御する。
【００６０】
従って、出力項目「出力１」〜「出力９」と計測値の種類との関連内容をＬＥＤ表示部３に表示できるようになる。これにより、ユーザは、マルチトランスデューサ１００の出力項目「出力１」〜「出力９」にいかなる種類の計測値が出力されているかを、このマルチトランスデューサ１００の外観から確認できるようになる。
【００６１】
なお、図示しない入切スイッチボタンをパネル７に備えて、この入切スイッチボタンを押すことで、ＬＥＤ８及び９の消灯又は点灯を切り替えるようにしてもよい。このようにすることで、電源の消費量を抑えることができる。また、ＣＰＵ１０は入力端子から誤った信号が入力されたことを検出した場合、該当する入力端子のＬＥＤ８を点滅するようにしてもよい。
【実施例２】
【００６２】
図７は、第２の実施例に係るマルチトランスデューサ２００の処理部３０’の構成例を示すブロック図である。図７に示すマルチトランスデューサ２００において、図５に示したマルチトランスデューサ１００と同じ構成部には同一の符号を付し、その詳細な説明は省略する。マルチトランスデューサ２００は、処理部３０’及び入力変換部２０ａ’〜２０ｇ’を備える。処理部３０’はＣＰＵ４９を備える。
【００６３】
この例で、入力変換部２０ａ’は、識別情報記憶部の一例を構成する記憶部５４ａを備え、この記憶部５４ａには、当該入力変換部２０ａ’の種類を特定するための識別情報が記憶されている。
【００６４】
入力変換部２０ａ’がマルチトランスデューサ２００に取り付けられたときに、処理部３０’のＣＰＵ４９は、入力変換部２０ａ’の記憶部５４ａに記憶された識別情報を読み出し、読み出した識別情報と当該識別情報を読み出す位置から接続表示情報を作成し、当該接続表示情報に基づいてＬＥＤ表示部２を表示制御する。例えば、ＣＰＵ４９は入力変換部２０ａ’から読み出した識別情報が「電圧」ということと、この識別情報を読み出した位置がＣＨ１に該当するということから図３に示したＬＥＤ表示部２の入力端子「ＣＨ１」と入力変換部の種類「電圧」とが交差する位置のＬＥＤ８ａを点灯するように制御するための接続表示情報を作成する。作成後、ＣＰＵ４９はこの接続表示情報に基づいてＬＥＤ表示部２のＬＥＤ８ａを点灯制御する。
【００６５】
また、ＣＰＵ４９は、ＥＥＰＲＯＭ３４に記憶された、計測値の種類と出力項目との関連情報を読み出して関連表示情報を作成し、作成された関連表示情報に基づいてＬＥＤ表示部３を制御する。ＬＥＤ表示部３の制御方法は、実施例１と同様の構成を成しているため説明を省略する。
【００６６】
このように、第２の実施例に係るマルチトランスデューサ２００によれば、ＬＥＤ表示部２を表示制御するＣＰＵ４９を備え、入力変換部２０ａ’の記憶部５４ａに記憶された識別情報を読み出し、読み出した識別情報と当該識別情報を読み出した位置から接続表示情報を作成し、当該接続表示情報に基づいてＬＥＤ表示部２を表示制御する。同様にして入力変換部２０ｂ’〜２０ｇ’に対しても識別情報を読み出し、読み出した識別情報と当該識別情報を読み出した位置から接続表示情報を作成し、当該接続表示情報に基づいてＬＥＤ表示部２を表示制御する。
【００６７】
従って、入力変換部２０ａ’〜２０ｇ’と入力端子「ＣＨ１」〜「ＣＨ８」との接続内容をＬＥＤ表示部２に表示できるようになる。これにより、ユーザは、入力端子の各々に何れの種類の入力変換部が接続されているかを確実に確認できるようになる。従って、ユーザは、電力系統の設備又は装置をマルチトランスデューサ２００に接続する際に、用途に合わせて入力変換部が部品交換された場合であっても、設備又は装置の電気諸量引出し線を対象の入力端子へ容易かつ正確に接続できるようになる。
【００６８】
また、ＣＰＵ４９は、ＥＥＰＲＯＭ３４に記憶された、計測値の種類「電圧」と出力項目「出力１」との関連情報から関連表示情報を作成し、この関連表示情報に基づいてＬＥＤ表示部３を表示制御する。同様にして、出力項目「出力２」〜出力項目「出力９」に対しても関連情報から関連表示情報を作成し、この関連表示情報に基づいてＬＥＤ表示部３を表示制御する。
【００６９】
従って、出力項目「出力１」〜「出力９」と計測値の種類との関連内容をＬＥＤ表示部３に表示できるようになる。これにより、ユーザは、マルチトランスデューサ２００の出力項目「出力１」〜「出力９」にいかなる種類の計測値が出力されているかを、このマルチトランスデューサ２００の外観から確認できるようになる。
【実施例３】
【００７０】
図８は、第３の実施例に係るマルチトランスデューサ３００の構成例を示す斜視図である。図８に示すマルチトランスデューサ３００は、入力端子群４、入出力端子群５、背面部材６、入力変換部（図示せず）、ＣＰＵ１０’、ＬＣＤ表示部４０及び番号対応シート４８を備える。
【００７１】
入力端子群４及び入出力端子群５は筐体の背面部材６に配置される。入力端子群４には、例えば電力系統の設備又は装置の電源供給線などが接続されて電気諸量が入力される。コネクタ７０にはシリアルケーブル５１を介して遠隔操作用の端末５０が接続され、入出力端子群５は、シリアルケーブル５２を介して遠隔監視装置５３が接続される。ユーザはこの端末５０を使用して、入力端子群４の各入力端子と当該入力変換部との接続情報、及び計測値の種類と当該計測値の出力項目との関連情報をマルチトランスデューサ３００に設定する。また、ユーザは、遠隔監視装置５３を使用して、ＣＰＵ１０’により算出された計測値を確認する。
【００７２】
ＣＰＵ１０’は制御部の一例として機能し、ＬＣＤ表示部４０に接続され、入力端子と入力変換部との接続情報から接続表示情報を作成し、この接続表示情報に基づいてＬＣＤ表示部４０を表示制御する。例えば、ＣＰＵ１０’は、図示しない入力端子ＣＨ１に電圧用の入力変換部が接続されているという接続情報から、ＬＣＤ表示部４０のＬＣＤ画面に番号「１（ＣＨ１）」と共に番号「１（電圧）」と表示制御するための接続表示情報を作成する。
【００７３】
ＬＣＤ（Liquid Crystal Display）表示部４０は表示手段の一例として機能し、筐体の背面部材６に配置される。ＬＣＤ表示部４０は、入力端子と入力変換部との接続内容を表示する為に、端子種類用の表示部４１、変換種類用の表示部４２及び押釦スイッチ４３を備える。表示部４１は入力端子の種類を表示する。例えば、表示部４１はＬＣＤ画面を有し、このＬＣＤ画面に番号「１」と表示する。この例で、表示部４１のＬＣＤ画面に表示される番号「１」などは、図示しない入力端子「ＣＨ１」〜「ＣＨ８」の数字の部分に対応する。表示部４２は入力変換部の種類を表示する。例えば、表示部４２は、表示部４２のＬＣＤ画面に番号「１」と表示する。この例で、表示部４２のＬＣＤ画面に表示される番号「１」などは、入力変換部の種類に対応づけられている。例えば、番号「１」には「電圧」が対応づけられ、番号「２」には「電流」が対応づけられ、番号「３」には「ＤＣ４−２０ｍＡ」が対応づけられ、番号「４」には「ＤＣ０−１ｍＡ」が対応づけられ、番号「５」には「ＤＣ０−５Ｖ」が対応づけられ、番号「６」には「ＺＰＴ３次（１１０Ｖ）」が対応づけられ、番号「７」には「ＺＰＴ３次（１９０Ｖ）」が対応づけられている。入力変換部が未実装の場合、表示部４２は、ＬＣＤ画面に「−」と表示する。これらの番号と入力変換部との対応付けは、ＬＣＤ表示部４０の上部に貼り付けられた番号対応シート４８に記載されている。
【００７４】
押釦スイッチ４３は操作部の一例として機能し、表示部４１の表示を切り替えるために操作される。例えば、ユーザは押釦スイッチ４３を押して表示部４１の番号「１」を番号「２」に切り替える。ＣＰＵ１０’は押釦スイッチ４３から出力された操作情報、及び接続表示情報に基づいてＬＣＤ表示部４０の表示部４２を表示制御する。表示部４２はＣＰＵ１０’からの表示制御の情報に基づいて番号を表示する。
【００７５】
この例で、押釦スイッチ４３が押されて表示部４１の番号「１（ＣＨ１）」が番号「２（ＣＨ２）」に切り替えられると、ＣＰＵ１０’は、番号「２（ＣＨ２）」に切り替えられたという操作情報、及びこの番号「２（ＣＨ２）」に対応づけられた番号「１（電圧）」という接続表示情報に基づいて表示部４２を表示制御する。
【００７６】
表示部４２は、ＣＰＵ１０’からの表示制御の情報に基づいて、表示部４２のＬＣＤ画面に番号「１（電圧）」を表示する。これにより、表示部４２に「１（電圧）」と表示された場合、ユーザは入力端子「ＣＨ２」に電圧用の入力変換部が接続されていることを確認できるようになる。なお、ＣＰＵ１０’は他の入力端子に関しても同様にして入力端子と各種入力変換部との接続情報に基づいて接続表示情報を作成し、この接続表示情報に基づいて表示部４２を表示制御する。
【００７７】
また、ＣＰＵ１０’は、計測値の種類と計測値の出力項目との関連情報から関連表示情報を作成し、この関連表示情報に基づいてＬＣＤ表示部４０を表示制御する。例えば、ＣＰＵ１０’は、図示しない計測値の種類「電圧」が出力項目「出力１」から出力されているという関連情報から、ＬＣＤ表示部４０のＬＣＤ画面に番号「１（出力１）」と共に番号「１（電圧）」と表示制御するための関連表示情報を作成する。
【００７８】
ＬＣＤ表示部４０は計測値の種類と当該計測値の出力項目との関連情報を表示する為に、出力種類用の表示部４４、計測値種類用の表示部４５及び押釦スイッチ４６を備える。表示部４４は出力項目を表示する。例えば、表示部４４は表示部４４のＬＣＤ画面に番号「１」と表示する。この例で、表示部４４のＬＣＤ画面に表示される番号「１」などは、図示しない出力項目「出力１」〜「出力９」の数字の部分に対応する。表示部４５は計測値の種類を表示する。例えば、表示部４５は、表示部４５のＬＣＤ画面に番号「１」と表示する。
【００７９】
この例で、表示部４５のＬＣＤ画面に表示される番号「１」などは、計測値の種類に対応づけられている。例えば、番号「１」には「電圧」が対応づけられ、番号「２」には「電流」が対応づけられ、番号「３」には「有効電力」が対応づけられ、番号「４」には「無効電力」が対応づけられ、番号「５」には「有効電力量」が対応づけられ、番号「６」には「無効電力量」が対応づけられ、番号「７」には「周波数」が対応づけられ、番号「８」には「位相角」が対応づけられ、番号「９」には「零相電圧」が対応づけられ、番号「１０」には「レベル」が対応づけられている。計測値が存在しない場合、表示部４５は、ＬＣＤ画面に「−」と表示する。これらの番号と計測値の種類との対応付けは、ＬＣＤ表示部４０の上部に貼り付けられた番号対応シート４８に記載されている。
【００８０】
押釦スイッチ４６は、表示部４４の表示を切り替えるために操作される。例えば、ユーザは押釦スイッチ４６を押して表示部４４の番号「１」を番号「２」に切り替える。切替後、ＣＰＵ１０’は、押釦スイッチ４６から出力された操作情報、及び関連表示情報に基づいて表示部４５を表示制御する。表示部４５は、ＣＰＵ１０’からの表示制御の情報に基づいて番号を表示する。
【００８１】
例えば、押釦スイッチ４６が押されて表示部４４の番号「１（出力１）」が番号「２（出力２）」に切り替えると、ＣＰＵ１０’は、番号「２（出力２）」に切り替えられたという操作情報、及びこの番号「２（出力２）」に対応づけられた番号「２（電流）」という関連表示情報に基づいて表示部４５を表示制御する。表示部４５は、ＣＰＵ１０’からの表示制御の情報に基づいて、表示部４５のＬＣＤ画面に番号「２（電流）」を表示する。これにより、表示部４４に「２（出力２）」と表示され、表示部４５に「２（電流）」と表示され、ユーザは出力項目「出力２」に計測値「電流」が出力されていることを、マルチトランスデューサ３００の外観から確認できるようになる。なお、他の出力項目に関しても同様にして関連表示情報が作成され、この関連表示情報に基づいて表示制御される。
【００８２】
図９は、番号対応シート４８の構成例を示す説明図である。図９に示す番号対応シート４８は、第１の対応表４８ａ及び第２の対応表４８ｂを有する。対応表４８ａには、番号と入力変換部の種類との対応が記載されている。例えば、番号「１」には入力変換部の種類「電圧」が対応づけられている。これにより、表示部４２に「１」と表示された場合、ユーザは対応表４８ａを参照して、この番号「１」に入力変換部の種類「電圧」が対応づけられていることを確認できるようになる。
【００８３】
対応表４８ｂには、番号と計測値の種類との対応が記載されている。例えば、番号「２」には計測値の種類「電流」が対応づけられている。これにより、表示部４５に「２」と表示された場合、ユーザは対応表４８ｂを参照して、この番号「２」に計測値「電流」が対応づけられていることを確認できるようになる。
【００８４】
図１０Ａ及びＢは、ＬＣＤ表示部４０の構成例を示す正面図である。図１０に示すＬＣＤ表示部４０の上端には、見出しである「入力変換部の種類」Ｐ３が表示されている。この見出しの下には、表示部４１、表示部４２、押釦スイッチ４３及びＬＥＤ４７が配置されている。図１０Ａに示す表示部４１及び４２には番号「１」が表示されている。表示部４１に表示された番号「１」は、ユーザが押釦スイッチ４３を押す毎にカウントアップされ、番号「２」、番号「３」、・・・、番号「８」と順番に表示される。このとき、表示部４２には、表示部４１に表示された番号に対応づけられた番号「１」〜「７」が表示される。この番号「１」〜「７」は、上述したように入力変換部の種類に対応づけられている。なお、表示部４１に表示された番号が番号「８」までカウントアップされると番号「１」に戻る。
【００８５】
図１０Ｂに示す表示部４２は、番号「４（ＣＨ４）」に切り替えられたという押釦スイッチ４３からの操作情報、及びこの番号「４（ＣＨ４）」に対応づけられた番号「２（電流）」という接続表示情報に基づいて、ＣＰＵ１０’により番号「２」を表示するように制御されたものである。ＬＥＤ４７は、入力端子からの入力異常が発生した場合に点灯される。
【００８６】
図１０Ａに示すＬＣＤ表示部４０の中央辺りには、見出しである「計測値の種類」Ｐ４が表示されている。この見出しの下には、表示部４４、表示部４５及び押釦スイッチ４６が配置されている。図１０Ａに示す表示部４４には番号「８」が表示され、表示部４５には番号「１０」が表示されている。表示部４４に表示された番号「８」は、ユーザが押釦スイッチ４６を押して表示されたものである。押釦スイッチ４６を押す毎に番号がカウントアップされていき、番号「１」、番号「２」、・・・、番号「９」と順番に番号が表示される。このとき、表示部４５には、表示部４４に表示された番号に対応づけられた番号「１」〜「１０」が表示される。なお、番号「９」までカウントアップされると番号「１」に戻る。
【００８７】
図１０Ｂに示す表示部４５は、番号「５（出力５）」に切り替えられたという押釦スイッチ４６からの操作情報、及びこの番号「５（出力５）」に対応づけられた番号「５（有効電力量）」という関連表示情報に基づいて、ＣＰＵ１０’により番号「５」を表示するように制御されたものである。このようにして、ＬＣＤ表示部４０に入力端子の種類と入力変換部の種類との対応関係、及び計測値の種類と当該計測値の出力項目との対応関係を表示する。
【００８８】
図１１は、マルチトランスデューサ３００の処理部３０”の構成例を示すブロック図である。図１１に示すマルチトランスデューサ３００には、図５に示したマルチトランスデューサ１００と同じ構成部に対して同一の符号を付し、これらの構成及び作用の説明は省略する。処理部３０”はＣＰＵ１０’を備える。ＣＰＵ１０’は、ＥＥＰＲＯＭ３４、表示部４１、４２、４４及び４５並びに操作部４３及び４６に接続される。
【００８９】
ＥＥＰＲＯＭ３４には、演算情報、入力端子ＣＨ１〜ＣＨ８と入力変換部２０ａ〜２０ｇとの接続情報、計測値の種類と当該計測値の出力項目との関連情報などが記憶される。この接続情報には、入力端子ＣＨ１に電圧用の入力変換部２０ａが接続され、入力端子ＣＨ２に電圧用の入力変換部２０ｂが接続され、入力端子ＣＨ３に電圧用の入力変換部２０ｃが接続され、入力端子ＣＨ４に電流用の入力変換部２０ｄが接続され、入力端子ＣＨ５に電流用の入力変換部２０ｅが接続され、入力端子ＣＨ６にＤＣ４−２０ｍＡ用の入力変換部２０ｆが接続され、入力端子ＣＨ７にＤＣ０−５Ｖ用の入力変換部２０ｇが接続されているという情報が含まれている。
【００９０】
関連情報には、出力項目「出力１」として電圧が出力され、出力項目「出力２」として電流が出力され、出力項目「出力３」として有効電力が出力され、出力項目「出力４」として無効電力が出力され、出力項目「出力５」として有効電力量が出力され、出力項目「出力６」として無効電力量が出力され、出力項目「出力７」及び「出力８」としてレベルが出力されるという情報が含まれている。
【００９１】
ＣＰＵ１０’は接続情報から作成した接続表示情報及び、操作部４３から出力された操作情報に基づいて表示部４１及び４２を制御する。例えば、ＣＰＵ１０’は入力端子ＣＨ１に電圧用の入力変換部が接続されているという接続情報から、表示部４１に番号「１（ＣＨ１）」を表示して表示部４２に番号「１（電圧）」を表示するための接続表示情報を作成する。入力端子「ＣＨ２」〜「ＣＨ８」についても同様にして接続表示情報を作成する。作成後、ＣＰＵ１０’は接続表示情報及び操作部４３から出力された操作情報に基づいて表示部４１及び４２を表示制御する。
【００９２】
表示部４１及び４２はＣＰＵ１０’に接続され、ＣＰＵ１０’からの表示制御の情報に基づいて表示画面に番号を表示する。例えば、表示部４１は入力端子の番号「１（ＣＨ１）」を表示し、表示部４２は入力変換部の種類の番号「１（電圧）」を表示する。同様にしてＣＰＵ１０’からの表示制御の情報に基づいて、表示部４１は入力端子の番号「２（ＣＨ２）」〜「８（ＣＨ８）」を表示し、表示部４２は入力変換部の種類の各々の番号を表示する。これにより、ユーザは操作部４３を操作して、入力端子「ＣＨ１」〜「ＣＨ８」の各々に何れの種類の入力変換部が接続されているかを表示部４１及び４２を見て確認できるようになる。
【００９３】
また、ＣＰＵ１０’は関連情報から作成した関連表示情報及び、操作部４６から出力された操作情報に基づいて表示部４４及び４５を制御する。例えば、ＣＰＵ１０’は出力項目「出力１」として電圧が出力されているという関連情報から、表示部４４に番号「１（出力１）」を表示して表示部４５に番号「１（電圧）」を表示するための関連表示情報を作成する。入力端子「出力２」〜「出力９」についても同様にして関連表示情報を作成する。作成後、ＣＰＵ１０’は関連表示情報及び操作部４６から出力された操作情報に基づいて表示部４４及び４５を表示制御する。
【００９４】
表示部４４及び４５はＣＰＵ１０’に接続され、ＣＰＵ１０’からの表示制御の情報に基づいて表示画面に番号を表示する。例えば、表示部４４は出力項目の番号「１（出力１）」を表示し、表示部４５は計測値の種類の番号「１（電圧）」を表示する。同様にしてＣＰＵ１０’からの表示制御の情報に基づいて、表示部４４は出力項目の番号「２（出力２）」〜「９（出力９）」を表示し、表示部４５は計測値の種類の各々の番号を表示する。これにより、ユーザは操作部４６を操作して、出力項目「出力１」〜「出力９」の各々に何れの種類の計測値が出力されているかを表示部４４及び４５を見て確認できるようになる。
【００９５】
続いて、上述した接続情報や関連情報に基づいてＬＣＤの表示処理例を示す。図１２は、ＣＰＵ１０’の動作例を示すフローチャートである。マルチトランスデューサ３００のＥＥＰＲＯＭ３４には、接続情報や関連情報が保存されている。
【００９６】
これをＬＣＤ表示処理の条件として、図１２に示すステップＴ１で、ＣＰＵ１０’は電源がＯＮされたかを判定する。電源がＯＮされていない場合、電源がＯＮされるまで待機する。電源がＯＮされた場合ステップＴ２へ移行する。ステップＴ２で、ＣＰＵ１０’は接続情報がＥＥＰＲＯＭ３４に保存されているか否かを判定する。接続情報がＥＥＰＲＯＭ３４に保存されていない場合ステップＴ５へ移行して関連情報の有無を判定する。接続情報がＥＥＰＲＯＭ３４に保存されている場合ステップＴ３へ移行する。
【００９７】
ステップＴ３で、ＣＰＵ１０’は接続情報に基づいて表示部４２の接続表示情報を作成する。例えば、ＣＰＵ１０’は、入力端子ＣＨ１〜ＣＨ３の各々に電圧用の入力変換部２０ａ〜２０ｃの各々が接続されているという接続情報から図８に示した表示部４１に番号「１（ＣＨ１）」〜番号「３（ＣＨ３）」のいずれかを表示して表示部４２に番号「１（電圧）」を表示するための接続表示情報を作成する。また、入力端子ＣＨ４及びＣＨ５の各々に電流用の入力変換部２０ｄ及び２０ｅの各々が接続されているという接続情報から表示部４１に番号「４」又は番号「５」を表示して表示部４２に番号「２（電流）」を表示するための接続表示情報を作成する。また、入力端子ＣＨ６にＤＣ４−２０ｍＡ用の入力変換部２０ｆが接続されているという接続情報から表示部４１に番号「６」を表示して表示部４２に番号「３（ＤＣ４−２０ｍＡ）」を表示するための接続表示情報を作成する。また、入力端子ＣＨ７にＤＣ０−５Ｖ用の入力変換部２０ｇが接続されているという接続情報から表示部４１に番号「７」を表示して表示部４２に番号「５（ＤＣ０−５Ｖ）」を表示するための接続表示情報を作成してステップＴ４へ移行する。
【００９８】
ステップＴ４で、ＣＰＵ１０’は作成した接続表示情報に基づいて表示部４１及び４２に初期番号を表示制御する。例えば、表示部４１に番号「１」を表示し、表示部４２に番号「１」を表示制御してステップＴ５へ移行する。
【００９９】
ステップＴ５で、ＣＰＵ１０’は関連情報がＥＥＰＲＯＭ３４に保存されているか否かを判定する。関連情報がＥＥＰＲＯＭ３４に保存されていない場合ステップＴ８へ移行して操作情報の有無を判定する。関連情報がＥＥＰＲＯＭ３４に保存されている場合ステップＴ６へ移行する。
【０１００】
ステップＴ６で、ＣＰＵ１０’は関連情報に基づいて表示部４５の関連表示情報を作成する。例えば、ＣＰＵ１０’は出力項目「出力１」として電圧が出力されているという関連情報から図８に示した表示部４４に番号「１（出力１）」を表示し、表示部４５に番号「１（電圧）」を表示するための関連表示情報を作成する。また、出力項目「出力２」として電流が出力されているという関連情報から表示部４４に番号「２（出力２）」を表示し、表示部４５に番号「２（電流）」を表示するための関連表示情報を作成する。また、出力項目「出力３」として有効電力が出力されているという関連情報から表示部４４に番号「３（出力３）」を表示し、表示部４５に番号「３（有効電力）」を表示するための関連表示情報を作成する。また、出力項目「出力４」として無効電力が出力されているという関連情報から表示部４４に番号「４（出力４）」を表示し、表示部４５に番号「４（無効電力）」を表示するための関連表示情報を作成する。また、出力項目「出力５」として有効電力量が出力されているという関連情報から表示部４４に番号「５（出力５）」を表示し、表示部４５に番号「５（有効電力量）」を表示するための関連表示情報を作成する。また、出力項目「出力６」として無効電力量が出力されているという関連情報から表示部４４に番号「６（出力６）」を表示し、表示部４５に番号「６（無効電力量）」を表示するための関連表示情報を作成する。また、出力項目「出力７」及び「出力８」としてレベルが出力されているという関連情報から表示部４４に番号「７（出力７）」又は番号「８（出力８）」を表示し、表示部４５に番号「１０（レベル）」を表示するための関連表示情報を作成してステップＴ７へ移行する。
【０１０１】
ステップＴ７で、ＣＰＵ１０’は作成した関連表示情報に基づいて表示部４４及び４５に初期番号を表示制御する。例えば、表示部４４に番号「１」を表示し、表示部４５に番号「１」を表示制御してステップＴ８へ移行する。
【０１０２】
ステップＴ８で、ＣＰＵ１０’は押釦スイッチ４３からの操作情報を入力し、かつ、接続表示情報が存在するかを判定する。ＣＰＵ１０’は操作情報又は接続表示情報のいずれかが存在しなかったと判定した場合、ステップＴ１０へ移行する。ＣＰＵ１０’は操作情報及び接続表示情報が存在した場合、ステップＴ９へ移行する。
【０１０３】
ステップＴ９で、ＣＰＵ１０’は操作情報及び接続表示情報に基づいて、表示部４１に番号を表示し、この番号に対応する番号を表示部４２に表示制御する。例えば、ＣＰＵ１０’は、番号「２（ＣＨ２）」に切り替えられたという押釦スイッチ４３からの操作情報、及び番号「２」に対応づけられた番号「１（電圧）」という接続表示情報に基づいて、表示部４１に番号「２（ＣＨ２）」を表示するように制御し、表示部４２に番号「１（電圧）」を表示するように制御してステップＴ１０へ移行する。これにより、表示部４２は、ＣＰＵ１０’からの表示制御の情報に基づいて番号「１（電圧）」を表示できるようになる。
【０１０４】
ステップＴ１０で、ＣＰＵ１０’は押釦スイッチ４６からの操作情報を入力し、かつ、関連表示情報が存在するかを判定する。ＣＰＵ１０’は操作情報又は関連表示情報いずれかが存在しなかったと判定した場合、ステップＴ１２へ移行して電源がＯＦＦであるかを判定する。ＣＰＵ１０’は操作情報及び関連表示情報が存在したと判定した場合、ステップＴ１１へ移行する。
【０１０５】
ステップＴ１１で、ＣＰＵ１０’は操作情報及び関連表示情報に基づいて、表示部４４に番号を表示し、この番号に対応する番号を表示部４５に表示制御する。例えば、ＣＰＵ１０’は、番号「２（出力２）」に切り替えられたという押釦スイッチ４６からの操作情報、及びこの番号「２（出力２）」に対応づけられた番号「２（電流）」という関連表示情報に基づいて、表示部４４に番号「２（出力２）」を表示するように制御し、表示部４５に番号「２（電流）」を表示するように制御してステップＴ１２へ移行する。これにより、表示部４５は、ＣＰＵ１０’からの表示制御の情報に基づいて番号「２（電流）」を表示できるようになる。
【０１０６】
ステップＴ１２で、ＣＰＵ１０’は電源がＯＦＦされたかを判定する。ＣＰＵ１０’は電源がＯＦＦされていないと判定した場合、ステップＴ８へ戻り、押釦スイッチ４３、４６からの操作情報を再び入力待機する。電源がＯＦＦされたと判定した場合、ステップＴ１３へ移行する。ステップＴ１３で、ＣＰＵ１０’は、表示部４１、４２、４４及び４５を消灯してＬＣＤ表示処理を終了する。
【０１０７】
このように、第３の実施例に係るマルチトランスデューサ３００によれば、ＬＣＤ表示部４０を表示制御するＣＰＵ１０’を備え、入力端子「ＣＨ１」〜「ＣＨ８」と入力変換部との接続情報から接続表示情報を作成し、この接続表示情報に基づいてＬＣＤ表示部４０を表示制御するものである。この例で、ＬＣＤ表示部４０の押釦スイッチ４３から出力された操作情報、及び接続表示情報に基づいてＬＣＤ表示部４０の表示部４１及び４２がＣＰＵ１０’により表示制御される。
【０１０８】
従って、入力端子「ＣＨ１」〜「ＣＨ８」と入力変換部との接続内容を表示部４１及び４２に表示できるようになる。これにより、ユーザは、入力端子の各々に何れの種類の入力変換部が接続されているかを確実に確認できるようになる。従って、ユーザは、電力系統の設備又は装置をマルチトランスデューサ３００に接続する際に、用途に合わせて入力変換部が部品交換された場合であっても、設備又は装置の電気諸量引出し線を対象の入力端子へ容易かつ正確に接続できるようになる。
【０１０９】
また、ＣＰＵ１０’は、計測値の種類と出力項目「出力１」〜「出力９」との関連情報から関連表示情報を作成し、この関連表示情報に基づいてＬＣＤ表示部４０を表示制御する。この例で、ＬＣＤ表示部４０の押釦スイッチ４６から出力された操作情報、及び関連表示情報に基づいて、表示部４４及び４５がＣＰＵ１０’により表示制御される。
【０１１０】
従って、出力項目「出力１」〜「出力９」と計測値の種類との関連内容を表示部４４及び４５に表示できるようになる。これにより、ユーザは、マルチトランスデューサ３００の出力項目「出力１」〜「出力９」にいかなる種類の計測値が出力されているかを、このマルチトランスデューサ３００の外観から確認できるようになる。
【０１１１】
マルチトランスデューサ１００と比較してマルチトランスデューサ３００は、ＬＣＤ表示部４０の設置範囲をＬＥＤ表示部１より小さく設定することができるので、表示部や端子などのレイアウトの自由度が向上する。なお、表示部は、ＬＣＤの代わりに７セグメントＬＥＤで構成してもよい。
【実施例４】
【０１１２】
図１３は第４の実施例に係るマルチトランスデューサ４００の構成例を示す正面図である。図１３に示す入力端子群４の各入力端子は、第１〜第３のマルチトランスデューサと異なり、端子台に種類名が記載され、種類毎に色分けされている。例えば、入力端子６０は、端子６０ａ及び６０ｂの端子台６０ｃに種類名「電圧」が記載され、黄色にペイントされている。これにより、ユーザが電力系統の設備又は装置を入力端子６０に接続する際に、出力信号が「電圧」以外の設備又は装置を入力端子６０に接続しないようにすることができる。なお、端子６０ａ及び６０ｂの形状を入力変換部の種類毎に異なった形状・大きさの端子としてもよい。
【０１１３】
図１４は、マルチトランスデューサ４００の組み立て例を示す一部破砕の斜視図である。図１４に示すマルチトランスデューサ４００は、筐体内部にシャーシ６３ａ及び６３ｂを備える。シャーシ６３ａ及び６３ｂには、入力変換部２０ａなどを装着するための装着部６４が複数備えられている。装着部６４は、Ｌ字形状のＬ状部材６５ａ及び６５ｂを有している。このＬ状部材６５ａとＬ状部材６５ｂは、所定の間隔をあけて対向するように配置されている。
【０１１４】
Ｌ状部材６５ａ及び６５ｂを有した装着部６４に一体部品６７が装着される。一体部品６７は、入力変換部２０ａ、入力端子６０、基板６２及び導電部材６６から構成される。入力端子６０の端子台６０ｃには端子６０ａ及び６０ｂが取り付けられ、端子６０ａ及び６０ｂから引出された導電部材６６が基板６２に結合されている。この基板６２には入力変換部２０ａが取り付けられている。入力変換部２０ａと導電部材６６とは基板６２に配設された図示しない伝導部材により電気的に接続されている。
【０１１５】
一体部品６７をシャーシ６３ａの装着部６４に装着する場合、一体部品６７の基板６２を、装着部６４のＬ状部材６５ａ及び６５ｂに矢印方向Ｑへスライドさせて装着する。装着後、基板６２の伝導部材とシャーシ６３ａの伝導部材とが結合される。これにより、入力変換部の各々を組み合わせ自在に装着部６４に装着することができる。
【０１１６】
装着後、前面板６１を筐体の前面に取付ける。このとき、前面板６１に備えられた着脱自在のブロック６１ｂを取り外して開口部６１ａを形成する。この開口部６１ａに端子台６０ｃを嵌合する。嵌合後、ネジ孔６１ｃにネジ６８を螺合して、前面板６１を筐体の前面に取付ける。
【０１１７】
このように、第４の実施例に係るマルチトランスデューサ４００は、入力端子６０及び入力変換部２０ａなどが一体の部品として構成された一体部品６７を備え、この一体部品６７がシャーシ６３ａ又は６３ｂの装着部６４に取り付けられる。この例で、入力端子６０の端子台６０ｃは、種類名「電圧」などと記載され、黄色などにペイントされている。
【０１１８】
従って、入力端子６０と入力変換部２０ａとの接続関係が確実になると共に、ユーザは、入力端子の各々に何れの種類の入力変換部が接続されているかを確実に確認できるようになる。
【産業上の利用可能性】
【０１１９】
本発明は、各種電気設備または装置からの電気諸量を電気信号に変換する入力変換部を備えたマルチトランスデューサに適用して好適なものである。
【図面の簡単な説明】
【０１２０】
【図１】マルチトランスデューサ１００の構成例を示す斜視図である。
【図２】マルチトランスデューサ１００の構成例を示す背面図である。
【図３】ＬＥＤ表示部１の構成例を示す説明図である。
【図４】Ａ及びＢは、マルチトランスデューサ１００の機能例を示す工程図である。
【図５】マルチトランスデューサ１００の処理部３０の構成例を示すブロック図である。
【図６】ＣＰＵ１０の動作例を示すフローチャートである。
【図７】マルチトランスデューサ２００の処理部３０’の構成例を示すブロック図である。
【図８】マルチトランスデューサ３００の構成例を示す斜視図である。
【図９】番号対応シート４８の構成例を示す説明図である。
【図１０】Ａ及びＢは、ＬＣＤ表示部４０の構成例を示す背面図である。
【図１１】マルチトランスデューサ３００の処理部３０”の構成例を示すブロック図である。
【図１２】ＣＰＵ１０’の動作例を示すフローチャートである。
【図１３】マルチトランスデューサ４００の構成例を示す正面図である。
【図１４】マルチトランスデューサ４００の組み立て例を示す一部破砕の斜視図である。
【符号の説明】
【０１２１】
１  ＬＥＤ表示部（表示手段）
２  入力変換部用のＬＥＤ表示部
３  計測値用のＬＥＤ表示部
４  電気諸量の入力端子群
７  パネル
８、９  ＬＥＤ（発光体）
１０、１０’、４９  ＣＰＵ（制御部）
２０  入力変換部
３４  ＥＥＰＲＯＭ（記憶部）
４０  ＬＣＤ表示部（表示手段）
４１  端子種類用の表示部
４２  変換種類用の表示部
４３  押釦スイッチ（操作部）
５０  遠隔操作用の端末（外部端末）
５３  遠隔監視装置
５４ａ  記憶部（識別情報記憶部）
１００、２００、３００、４００  マルチトランスデューサ
【図１】
2008129957.tif 000003
【図２】
2008129957.tif 000004
【図３】
2008129957.tif 000005
【図４】
2008129957.tif 000006
【図５】
2008129957.tif 000007
【図６】
2008129957.tif 000008
【図７】
2008129957.tif 000009
【図８】
2008129957.tif 000010
【図９】
2008129957.tif 000011
【図１０】
2008129957.tif 000012
【図１１】
2008129957.tif 000013
【図１２】
2008129957.tif 000014
【図１３】
2008129957.tif 000015
【図１４】
2008129957.tif 000016